(57)【要約】      （修正有）【課題】構造が簡単で、人目に付かなく、かつ確実に操作できることから、例えば、車中、夜間とか、人気の少ないところ等において、発生する痴漢対策として、有益な警報器を収容する袋を提供する。これにより、痴漢をなくし、安全な乗車と、外出ができる生活環境を確保できる機器を提供する。【解決手段】ポーチに配備した内袋と、内袋に対峙する表面１００の一面に配備した模様、突起、印、又は表示等でなる警報出力用の司令部３と、ポーチの開閉部を開閉するチャック、面ファスナ、ボタン等の閉め具とでなる警報器Ａを収容する袋である。ポーチを手で保持する時、又はポケット、カバン、バッグ等への収容時、或いは衣服の下であっても、司令部３を探し当てて押圧することで、警報器ＡのスイッチＡ１を操作できるので、気づかれずに警報器Ａの操作と、警報音を発し得る。【選択図】図５
0003217182.tif 000002
【実用新案登録請求の範囲】
【請求項１】
ポーチ、カード入れ、パスポート入れ、その他のケースの何れかでなる袋と、この袋に配備した内袋と、この内袋に対峙する表面の一面に配備した模様、突起、印、又は表示の何れかの中で選択された、少なくとも、一つの警報出力用の司令部と、前記袋に備わった開閉部と、この開閉部の開口を開閉する、チャック、面ファスナ、ボタンの何れかの中で選択された、少なくとも、一つの閉め具とでなる警報器を収容する袋。
【請求項２】
前記司令部は、前記内袋に収容された前記警報器の前記ボタンの位置と同じ位置に配備されることを特徴とする請求項１に記載の警報器を収容する袋。
【請求項３】
前記司令部は、前記模様として、この模様を押圧することで、前記内袋内の前記警報器が作動することを特徴とする請求項１に記載の警報器を収容する袋。
【請求項４】
前記袋に、支持用の紐、チェーン、ナス環の何れかの中で選択された、少なくとも、一つの支持部を備えることを特徴とする請求項１に記載の警報器を収容する袋。
【請求項５】
前記表面の他面に、カード、定期券、パスポートの何れかの中で選択された、少なくとも、一つの個人用の証明書を収容する外袋を備えることを特徴とする請求項１に記載の警報器を収容する袋。
【請求項６】
前記外袋は、外側が透明であることを特徴とする請求項１に記載の警報器を収容する袋。
【考案の詳細な説明】
【技術分野】
【０００１】
本考案は、警報器を収容する袋であって、主として、車中、夜間とか、人気の少ないところ等において、発生する痴漢対策として、有益な警報器用の袋に関する。
【背景技術】
【０００２】
周知の如く、前記車中、夜間とか、人気の少ないところ等において、発生する痴漢対策として、種々の警報器具が市販、かつ提案されている。しかし、機能面とか、大きさ、等に関する希望を十分に満たしていないと考えられる。そこで、これらの問題を解決できて、かつ使い勝手がよい構造に関して、先行文献を列挙する。
【０００３】
特開平８−１００２５号公報（文献（１））は、ケースの所定個所（部位）にカードを抜き差しできること、及び電気回路を利用し、例えば、カードを抜き、部位に設けた検出器部材（スイッチ）と離間し、かつ定められた時間外となった状態下で、警報音が作動する構造であり、確実に動作して、緊急時に対応する。この発明は、有益であるが、構造が複雑であり、故障の原因となること、使い勝手に簡便性を欠くことが考えられる。
【０００４】
特開２０００−２０８３５号公報（文献（２））は、品物に警報器をセットし、作動ピンが抜けた状態で、警報音が発生する機器であり、ひったくり防止として有効である。しかし、この発明においても、前記文献（１）と同様な課題を抱えている。
【特許文献１】特開平８−１００２５号公報
【特許文献２】特開２０００−２０８３５号公報
【考案の概要】
【考案が解決しようとする課題】
【０００５】
上記に鑑み、本考案は、構造が簡単で、人目に付かなく、かつ確実に操作できることから、例えば、車中、夜間とか、人気の少ないところ等において、発生する痴漢対策として、有益な警報器用の袋を提供する。これにより、従来の課題を解決しつつ、痴漢をなくし、安全な乗車と、外出ができる生活環境を確保できる機器の提供である。
【課題を解決するための手段】
【０００６】
即ち、本考案は、上記の警報器を収容する袋を開示するために、請求項１−６を提示する。
【考案の効果】
【０００７】
請求項１の考案は、ポーチ、カード入れ、パスポート入れ、その他のケースの何れかでなる袋と、袋に配備した内袋と、内袋に対峙する表面の一面に配備した模様、突起、印、又は表示の何れかの中で選択された、少なくとも、一つの警報出力用の司令部と、袋に備わった開閉部と、開閉部の開口を開閉する、チャック、面ファスナ、ボタンの何れかの中で選択された、少なくとも、一つの閉め具とでなる警報器を収容する袋である。
【０００８】
従って、請求項１においては、袋を手で保持する時、又はポケット、カバン、バック等への収容時、或いは衣服の下であっても、司令部を探し当てて押圧することで、警報器のスイッチを操作できる利点と、怪しまれず警報器を操作できる利点とを有する。これにより、気づかれずに警報器の操作（作動）と、警報音を発し得る特徴がある。また、痴漢被害から身を守り得る。
【０００９】
請求項２の考案は、司令部は、内袋に収容された警報器のボタンの位置と同じ位置に配備されることを特徴とする警報器を収容する袋である。
【００１０】
従って、請求項２では、請求項１の特徴と、ポケット等への収容時、或いは衣服の下（隠れた場所）等の場合でも、操作、即ち、警報音を発することができる利点がある。
【００１１】
請求項３の考案は、司令部は、模様として、模様を押圧することで、内袋内の警報器が作動することを特徴とする警報器を収容する袋である
従って、請求項２と同じ特徴と利点がある。
【００１２】
請求項４の考案は、袋に、支持用の紐、チェーン、ナス環の何れかの中で選択された、少なくとも、一つの支持部を備えることを特徴とする警報器を収容する袋である
従って、請求項４では、請求項１の特徴と、袋を身近に維持でき、かつ緊急時に躊躇することなく対応できる。
【００１３】
請求項５の考案は、表面の他面に、カード、定期券、パスポートの何れかの中で選択された、少なくとも、一つの個人用の証明書を収容する外袋を備えることを特徴とする警報器を収容する袋である。
【００１４】
従って、請求項５では、請求項１の特徴と、袋に他の機能が付与されて、その利用度の向上と、有効性の向上とが図れる。
【００１５】
請求項６の考案は、外袋は、外側が透明であることを特徴とする警報器を収容する袋である。
【００１６】
従って、請求項６では、請求項１の特徴と、請求項５の特徴とを達成できる利点がある。
【図面の簡単な説明】
【００１７】
各図は、袋を、一例のポーチとする図面であり、以下の図を提示する。
【図１】本考案の正面図
【図２】本考案の一部欠截の裏面図
【図３】本考案の表面斜視図
【図４】本考案の袋の開閉部を開いた状態の一部欠截の表面斜視図
【図５】本考案の袋に警報器を差し入れる状態の模式図
【図６】本考案のＸ−Ｘ断面図
【考案を実施するための形態】
【００１８】
図１−図６において、１は警報器Ａを収容する袋であり、この袋１は、例えば、ポーチ、小銭入れポーチ、その他のポーチとか、カード入れ、パスポート入れ、定期入れ、その他の入れ物、又は例えば、煙草入れケース、筐形ケース、吊下げケース等のその他のケース等の何れかでなる袋態様とする（一例である）。そして、この袋１は、表裏布１ａ、１ｂを逢着２することで形成されている。この逢着２は一例であり、他の方法としては、溶着手段、接合手段、１枚の布地を折り畳み逢着２とか、一体化手段等とすることも可能である。この表裏布１ａ、１ｂの外側は、袋１の表裏面１００、１０１となる。即ち、この表裏布１ａ、１ｂで形成されている袋１は、その表面１００が表布１ａであり、その裏面１０１が裏布１ｂとなる。そして、この表面１００に、模様（柄、刺繍等）、突起（ボタン）、印（記号、ポイント等）、又は表示の何れかの中で選択された、少なくとも、一つの警報出力用の司令部３（音、電波、信号等の警報を発する、後述のスイッチを操作する手段である）を配備する。この一例では、司令部３は魚模様としてある。また、袋１は、一例であって、擬似猫の様相を呈する。また、袋１の表裏布１ａ、１ｂの周辺のＵ形状の逢着２した箇所の長手方向Ｙ（外周縁部）の部位で、かつこの長手方向Ｙに沿ったところには、長めの開閉部４を備えており、警報器Ａの収容とか、図示しない品物の一時的な収容等の役目がある。５は、取手であり、開閉部４の開口４０に設けた開閉用のファスナ（チャック、面ファスナ、ボタン等も可能である）を操作する手段である。取手５により、開閉部４を開閉する。この袋１とか、後述する内袋８等の素材は、布地、ビニール、皮、合成皮革、等の何れでも可能である。
【００１９】
また、袋１には、持ち手６を備える。
【００２０】
そして、図２に示すように、裏布１ｂの外側１ｂ１には、カード、定期券、パスポートの何れかの中で選択された、少なくとも、一つの個人用の証明書（図示せず）を収容する外袋７を備えており、定期券の視認性を確保するために透明部７０を備える。尚、外袋７の一面は、裏布１ｂを利用する。
【００２１】
図２、図４−図６に示すように、袋１には、長手方向Ｙの逢着２に直交する位置関係において、内袋８が設けられており（位置関係は、好ましい例であり、何ら限定されない。即ち、内袋８が展開状態で設けられれば、限定されない）、この一例では、表布１ａの内側１ａ１に設けられている。そして、内袋８には、警報器Ａが収容される。これにより、司令部３を押圧することで、この一例では、警報器Ａの図示しない、警報音発生部（発信部）より警報音、その他の緊急音とか、光等の警報が発せられる。内袋８は、開閉部４に向かって開口することが望ましく、開閉部４を開口した状態で、警報器Ａを、ストレートに挿入可能となる状況を確保することが望ましい。さらに、この挿入時に、警報器Ａの出力用のスイッチＡ１が、司令部３の下側に位置することが理想である。勿論、内袋８は、この例に限定されず、裏布１ｂの内側１ｂ２に設けられる例も有り得る。この際には、外袋７の設ける位置（箇所）を変更するか、又は、警報器Ａの出力用のスイッチＡ１、及び／又は、司令部３を設ける位置を変更することが望ましい。いずれにしても、司令部３を押圧することで、出力用のスイッチＡ１に司令が伝わることが必要である。尚、内袋８の一面は、表布１ａの内側１ａ１を利用することもできる。この例では、内袋８の位置を確定できる。尚、内袋８を袋１内に設ける位置は、警報器Ａが簡易、かつスムーズに差し入れできる構成とすることが望ましい。
【００２２】
尚、図示しないが、表裏布１ａ、１ｂ間に、緩衝部材を配備することも有り得る。
【００２３】
以下、使用の一例を説明すると、図５の如く、袋１の開閉部４の開口４０を開いて、内袋８の開口８０より警報器Ａを差し入れる。その際に、警報器ＡのスイッチＡ１を、袋１の表面１００にある司令部３の直下に位置する状態とする。従って、概念的には、図６の如く、内袋８の形態（寸法）と、警報器Ａの形態の同一性、及び司令部３の形態（位置）とスイッチＡ１の形態の同一性が確保される構造とすることが必要である。この構成が確保されることで、司令部３を押圧（プッシュ）することで、スイッチＡ１に司令が伝達され、警報器Ａの発信部（図示しない）から、例えば、警報音が発せられる。即ち、痴漢回避・撃退に有効であり、かつ危険回避に有効である。また、スイッチＡ１が見えなくとも、指先（指、手の各部位とか道具を含む）により確認できれば、司令部３を押圧でき、警報器Ａを働かせ得るので有効である。
【００２４】
また、外袋７の使用は、図示しないが、従来の袋類と同じである。
【００２５】
前述した各実施例等は、本考案の好ましい一例の説明である。各実施例とか図面に限定されない。従って、考案の趣旨の範囲において構成の一部を変更する構造とか、同じ特徴と効果を達成できる構造、等は、本考案の範疇である。
【符号の説明】
【００２６】
１  袋
１ａ  表布
１ａ１  内側
１ｂ  裏布
１ｂ１  外側
１ｂ２  内側
１００  表面
１０１  裏面
２  逢着
３  司令部
４  開閉部
４０  開口
５  取手
６  持ち手
７  外袋
７０  透明部
８  内袋
８０  開口
Ａ  警報器
Ａ１  スイッチ
Ｙ  長手方向
【図１】
0003217182.tif 000003
【図２】
0003217182.tif 000004
【図３】
0003217182.tif 000005
【図４】
0003217182.tif 000006
【図５】
0003217182.tif 000007
【図６】
0003217182.tif 000008
【手続補正書】
【提出日】平成30年5月23日(2018.5.23)
【手続補正１】
【補正対象書類名】実用新案登録請求の範囲
【補正対象項目名】全文
【補正方法】変更
【補正の内容】
【実用新案登録請求の範囲】
【請求項１】
ポーチ、カード入れ、パスポート入れ、その他のケースの何れかでなる袋と、この袋に配備した内袋と、この内袋に対峙する表面の一面に配備した模様、突起、印、又は表示の何れかの中で選択された、少なくとも、一つの警報出力用の司令部と、前記袋に備わった開閉部と、この開閉部の開口を開閉する、チャック、面ファスナ、ボタンの何れかの中で選択された、少なくとも、一つの閉め具とでなる警報器を収容する袋。
【請求項２】
前記司令部は、前記内袋に収容された前記警報器の前記ボタンの位置と同じ位置に配備されることを特徴とする請求項１に記載の警報器を収容する袋。
【請求項３】
前記司令部は、前記模様として、この模様を押圧することで、前記内袋内の前記警報器が作動することを特徴とする請求項１に記載の警報器を収容する袋。
【請求項４】
前記袋に、支持用の紐、チェーン、ナス環の何れかの中で選択された、少なくとも、一つの支持部を備えることを特徴とする請求項１に記載の警報器を収容する袋。
【請求項５】
前記表面の他面に、カード、定期券、パスポートの何れかの中で選択された、少なくとも、一つの個人用の証明書を収容する外袋を備えることを特徴とする請求項１に記載の警報器を収容する袋。
【請求項６】
前記外袋は、外側が透明であることを特徴とする請求項５に記載の警報器を収容する袋。